(57)【要約】【課題】  広範囲に送風可能な移動送風装置を提供する。【解決手段】  ガイドと、そのガイドに移動自在に設けられた移動体と、移動体に取付けられて移動体の移動に伴ってガイドに沿って移動可能な送風機（例えば、扇風機）と、移動体をガイドに沿って移動させる駆動機構と、駆動機構を駆動する駆動源を備えた。送風機がガイドに沿って往復移動又は循環移動できるようにした。ガイドを建物の壁、床、天井又は建物とは別の取付け台に設けた。ガイドを建物内外の所望領域の外周にリング状の柵状に設けた。送風機をガイドに二以上設けた。送風機の近くにミスト供給し、そのミストを送風機で拡散できるようにした。【選択図】図１
2014031742.tif 000002
【特許請求の範囲】
【請求項１】
ガイドと、そのガイドに移動自在に設けられた移動体と、移動体に取付けられて移動体の移動に伴ってガイドに沿って移動可能な送風機と、移動体をガイドに沿って移動させる駆動機構と、駆動機構を駆動する駆動源を備えたことを特徴とする移動送風装置。
【請求項２】
請求項１記載の移動送風装置において、送風機がガイドに沿って往復移動又は循環移動できることを特徴とする移動送風装置。
【請求項３】
請求項１又は請求項２記載の移動送風装置において、ガイドが建物の壁、床、天井又は建物とは別の取付け台に設けられたことを特徴とする移動送風装置。
【請求項４】
請求項１又は請求項２記載の移動送風装置において、ガイドが建物内外の所望領域の外周にリング状の柵状に設けられたことを特徴とする移動送風装置。
【請求項５】
請求項１乃至請求項４のいずれか１項に記載の移動送風装置において、送風機がガイドに二以上設けられたことを特徴とする移動送風装置。
【請求項６】
請求項１乃至請求項５のいずれか１項に記載の移動送風装置において、送風機の近くにミスト供給装置を設け、ミスト供給装置から供給されるミストを送風機で拡散することを特徴とする移動送風装置。
【発明の詳細な説明】
【技術分野】
【０００１】
本発明は送風機、例えば、扇風機を移動可能とした移動送風装置に関する。
【背景技術】
【０００２】
扇風機は夏場の暑さをしのぐ機器として広く一般に普及している。扇風機はエアコンに比べて消費電力が小さいことから、節電に対する機運が高まる昨今では、需要も増加傾向にある。特に、東日本大震災以降はその傾向が顕著である。
【０００３】
扇風機には各種のものがあるが、いずれも床置き式、壁や天井に固定する固定式のものである。これら扇風機の多くはその頭部（送風用の羽根とモータが設けられている部分）を首ふり式として広範囲に送風できるようにしてある（例えば、特許文献１）。
【先行技術文献】
【特許文献】
【０００４】
【特許文献１】特開２００７−１８７１６５号公報
【発明の概要】
【発明が解決しようとする課題】
【０００５】
首ふり式の扇風機によれば、風を広範囲に送ることができるが、風を送ることのできる範囲に限度があった。このため、扇風機から横に離れた場所では風の力が弱いとか、風が届かないといった難点があった。この難点は、扇風機の台数を増やすことで解消することができるが、節電という観点からは好ましくない。また、昨今は、メーカーの扇風機生産が需要に追い付かず、扇風機の購入台数が制限されるという事情もあり、扇風機の台数を増やすのは好ましくない。
【０００６】
本発明の目的は、従来型の扇風機に比して広範囲に均等に送風可能な移動送風装置を提供することにある。
【課題を解決するための手段】
【０００７】
本発明の移動送風装置は、ガイド（レール）と、そのガイドに移動自在に設けられた移動体と、移動体に取付けられて移動体の移動に伴ってガイドに沿って移動可能な送風機（例えば、扇風機）と、移動体をガイドに沿って移動させる駆動機構と、駆動機構を駆動する駆動源を備えたものである。送風機の移動は広範囲に送風できれば往復移動、循環移動、その他の移動でもよく、所望の移動ができるようにガイドの形状を設計することができる。駆動機構には回転ローラーと動力伝達ベルトの組み合わせ、ラックアンドピニオン、ボールスプライン、エアシリンダ、油圧シリンダ等を使用することができる。駆動源にはモータ、圧縮空気（エア回路を含む）、加圧油（油圧回路を含む）等を使用することができる。
【０００８】
ガイドは建物の屋内の壁面、床、天井等に設けることも、屋外の壁面等に設けることもできる。建物とは別に用意した台やフレーム等の取付けベースに取付けることもできる。ガイドは所望とする領域に送風できる形状に設計する。Ｘ軸、Ｙ軸方向への平面的な形状のみならず、Ｚ軸方向への立体的な形状とすることもできる。更には、送風領域に柵状（リング状）に設け、送風機をそのリングの内側に送風できるように取付けることもできる。ガイドは屋内或いは屋外に設置することもできる。送風機は一つのガイドに間隔をあけて二以上設けることもできる。二以上の送風機は同方向に同速で移動可能とすることも、逆方向に異なる速度で移動可能とすることもできる。
【０００９】
ガイドは屋内又は屋外の所定領域の周囲にリング状の柵状に設け、そのガイドにその内側に送風できるように送風機を取付けることができる。この場合、リング径が大きい場合は、ガイドに二以上の送風機を設けることもでき、それら送風機をガイドに沿って移動（往復移動、循環移動）できるようにする。
【００１０】
送風機の近くにミストを供給し、そのミストを送風機の送風で拡散することもできる。
【発明の効果】
【００１１】
本発明の移動送風装置には、次のような効果がある。
（１）送風機をガイドに沿って移動させることができるので、ガイドの形状を所望形状に設計することにより、送風機の移動領域に送風することができる。
（２）一つのガイドに二以上の扇風機を設けて移動中にそれら扇風機から送風すれば、移動距離が長い場合でも絶え間なく送風することができる。
（３）ガイドをリング状にして、リング内に360度何れの方向からも送風することができる。
（４）ガイドをリング状の柵状にし、その内側を作業スペースにすれば、ガイドに沿って移動する送風機から一度に多くの人に送風することができ、送風効果が向上する。
（５）ミストを拡散することができるので、涼風を送るがことができ、水分補給にもなるため、熱中症予防対策にも貢献できる。
（６）飼育舎に設ければ、家畜の暑さ対策になり、生育向上に役立つ。
【図面の簡単な説明】
【００１２】
【図１】本発明の移動送風機の一例を示すものであって、（ａ）は背面図、（ｂ）は側面図。
【図２】本発明の移動送風装置の他の例を示す説明図。
【図３】本発明の移動送風機の他例を示すものであって、ガイドを柵状（リング状）にした場合の説明図。
【図４】本発明の移動送風機の他例を示すものであって、駆動機構にエアシリンダを使用した場合の説明図。
【発明を実施するための形態】
【００１３】
（実施形態１）
本発明の移動送風装置の一例について、図面を参照して説明する。一例として図１に示す移動送風装置１は、横長レール状の上下のガイド２に、板状の移動体３が矢印ａ−ｂ方向に往復移動自在に設けられ、その移動体３に送風機（例えば、扇風機）４が取付けられ、移動体３を駆動機構により前記ａ−ｂ方向に移動させることにより、送風機４がガイド２に沿って移動するようにしてある。
【００１４】
（駆動機構）
駆動機構はモータＭと、モータＭの回転で回転される駆動ローラー６と、二つのテンションローラー７ａ、７ｂと、四つのガイドローラー８ａ〜８ｄを備え、それらガイドローラーは図１（ｂ）に示すようにＶ溝９を備えており、下二つのガイドローラー８ａ、８ｂのＶ溝９が下ガイド２ａの上向きＶ字状のガイド縁２ｂと嵌合し、上二つのガイドローラー８ｃ、８ｄのＶ溝９が上ガイド２ｃの下向きＶ字状のガイド縁２ｄと嵌合している。
【００１５】
前記駆動ローラー６と二つのテンションローラー７ａ、７ｂと、２つのガイドローラー８ａ、８ｂに駆動ベルト１０が巻回されて、モータＭが回転すると駆動ローラー６が回転し、それに伴ってベルト９が回転して下の二つのガイドローラー８ａ、８ｂが回転して、下ガイド２ａに沿って移動するようにしてある。この移動により移動体３が下ガイド２ａに沿って移動し、この移動に伴って二つの上ガイドローラー８ｃ、８ｄが回転して上ガイド２ｃに沿って移動し、移動体３が移動し、移動体３に取付けられている送風機４が移動するようにしてある。
【００１６】
図１に示す実施形態では、移動体３が所定位置まで移動するとリミットスイッチが作動してリレーＲが切り替わってモータＭの回転方向が切換えられる（正逆回転する）ようにしてあり、モータＭを逆回転させると、駆動ローラー６とガイドローラー８ａ〜８ｄが逆回転して、移動体３が逆方向に移動する（戻る）ようにし、この往復移動により送風機４が同方向に往復移動するようにしてある。
【００１７】
図１の送風機移動装置は変圧器１６を備えており、その変圧器１６で商用電源を１００Ｖから１２Ｖへ降圧してモータＭを回転させるようにしてある。駆動源には駆動機構の構成に合わせてモータＭ、圧縮空気（エア回路を含む）、加圧油（油圧回路を含む）等を使用することができる。駆動機構は制御盤に組み込んだプログラムにより制御して所望の動きをさせることができる。駆動機構は安全面、駆動機構の保護面からカバーで被覆するのが望ましい。
【００１８】
（移動体）
図１の移動体３は板状であるが、移動体３はガイド２に沿って移動可能であれば他の形状、例えば、ブロック、送風機４を支持可能な強度を備えたフレキシブルチューブ等であってもよい。
【００１９】
（送風機）
前記送風機４には汎用の扇風機を使用することができ、羽根１１の外側に防護網１５が設けられているものが安全面で望ましい。送風領域を広くするためには首ふり可能なものが望ましいが、首ふりしない固定式のものであっても使用することができる。送風機４は送風できるものであれば、羽根がないもの、例えば、リング状の空間から送風されるもの（例えば、ダイソン株式会社製のエアーマルチプライヤー：登録商標）とかその他のものであってもよい。
【００２０】
送風機４は一つのガイド２にその軸方向に離して二以上設けることもできる。二以上の送風機４の移動は、例えば、同方向に同速で移動可能とすることも、逆方向に異なる速度で移動可能とすることもできる。
【００２１】
（ガイド）
ガイド２は屋内の壁面、床、天井、屋外の的面等に設けることも、建物とは別に用意した取付け台に設けることもできる。ガイド２の一例としては図２に示すような取付け台に設けることもできる。図２の取付け台は二本の支持脚１３の間に下ガイド２ａ、上ガイド２ｃ、中ガイド２ｅを備えたものであり、それら三本のガイドに移動体３を矢印方向に移動可能に取付けることができるようにしたものである。この場合の駆動機構も前記駆動機構と同様にすることができる。取付け台にはキャスターを設けて移動自在とすると移動に便利である。
【００２２】
図１のガイド２は横長であるが、ガイド２は用途に応じて縦長とすることも、縦長と横長を十字形に組み合わせたものとすることもできる。縦長の場合は移動体３が縦方向に往復移動するようにし、十字形の場合は移動体３が横方向と縦方向に十字形に移動するようにすることができる。
【００２３】
ガイド２は図３に示すようにリング状の柵形にして、移動体３がガイド２に沿ってリング状に移動するようにする。リング状のガイド２の内径は任意に設計することができる。図３ではガイド２を作業スペース１４の外周に設けてあるが、ガイド２は豚舎、鶏舎、牛舎、動物園の檻の中の周囲、周壁、天井等に設けるなどして、動物や家畜に送風できるようにすることもできる。この場合も、リング状のガイド２に送風機４を二以上設け、それらをガイド２に沿って周回させる循環式とすることもできる。
【００２４】
（実施形態２）
駆動機構は図１に示すもの以外であってもよく、例えば、ラックアンドピニオン、ボールスプライン、エアシリンダ、油圧シリンダ等を使用することができる。ラックアンドピニオンを用いる場合はラックをガイドとし、それと噛み合って移動するピニオンに移動体３を取付けることができる。
【００２５】
（エアシリンダ）
駆動機構にエアシリンダを使用する場合は、例えば、ＳＭＣ株式会社製のロッドレスシリンダを使用することができる、図４に示すものはそのロッドレスシリンダを使用した場合の一例であり、下ガイド２ａと上ガイド２ｃの間にそれらと平行にシリンダチューブ１７を設け、そのシリンダチューブ１７に沿ってスライドテーブル１８が移動するようにしてあり、シリンダチューブ１７を中ガイド２ｅとし、スライドテーブル１８を中ガイド２ｅに沿って往復移動可能な移動体３として使用し、それに送風機４を取付けることができる。この場合、ソレノイドバルブ、エアホース等で構成されるエア回路を使用するのは当然であり、ソレノイドバルブを開閉制御してエア回路を制御し、リミットスイッチを往復移動の切り替えスイッチとして設けることができる。
【００２６】
（油圧シリンダ）
エアシリンダに代えて油圧シリンダを使用することもできる。この場合は、ロッドをガイドとし、チューブを移動体３とし、その移動体３に送風機４を取付けて、移動体３をロッドに沿って往復移動させることにより、送風機４を移動させることができる。
【００２７】
（ラックアンドピニオン）
駆動機構にラックアンドピニオンを使用する場合は、ラックをガイド２とし、それと噛み合って往復移動するピニオンに移動体３を取付け、その移動体３に送風機を取付けることにより、送風機４をラックの軸方向に往復移動させることができる。
【００２８】
（ボールスプライン）
駆動機構にボールスプラインを使用する場合は、ボールスプラインをガイドとし、それに移動体３を取付け、その移動体３に送風機４を取付けて、ボールスプラインをモータで回転させると移動体３がボールスプラインの軸方向に往復移動し、その移動に伴って送風機４が往復移動するようにすることができる。
【００２９】
（ミスト）
本発明の移動送風装置１では、送風機４の近く、例えば、送風機４の前面側上方などに液体噴霧手段（図示しない）を設けて、ミスト状（霧状）の液体を送風機４の前に送り、そのミスト状の液体を送風機４で拡散できるようにしてもよい。ミスト状の液体は連続的に噴霧されるようにしても、間欠的に噴霧されるようにしてもよく、これらを切り替えられるようにすることもできる。液体噴霧の制御は前記制御盤に組み込んだプログラムで制御することができる。
【産業上の利用可能性】
【００３０】
本発明の移動送風装置１は会議室のようなオフィスビル内の他、図書館や映画館などの室内施設、野球場やサッカー場などのスポーツ施設といった、多くの人が集まる場所での使用に適するが、各家庭でも用いることもできる。
【符号の説明】
【００３１】
１    移動送風装置
２    ガイド
２ａ  下ガイド
２ｂ  ガイド縁
２ｃ  上ガイド
２ｄ  ガイド縁
２ｅ  中ガイド
３    移動体
４    送風機
６    駆動ローラー
７ａ、７ｂ  テンションローラー
８ａ〜８ｄ  ガイドローラー
９    Ｖ溝
１０  駆動ベルト
１１  羽根
１３  支持脚
１４  作業スペース
１５  防護網
１６  変圧器
１７  シリンダチューブ
１８  スライドテーブル
Ｍ    モータ
Ｒ    リレー
【図１】
2014031742.tif 000003
【図２】
2014031742.tif 000004
【図３】
2014031742.tif 000005
【図４】
2014031742.tif 000006